(57)【要約】【課題】安価且つ安定して人体に送風することができる人体用送風装置を提供することにある。【解決手段】人体１０に空気を送風する人体用送風装置１であって、人体１０の背面に位置するベース部材１００と、ベース部材１００に付設した送風機２００と、送風機２００の吹出口から人体の肩上且つ首横を通過して人体の前面に延びる左右一対の導風パイプ３００とを備え、導風パイプ３００に空気を吐出する吐出孔３０１を形成した。【選択図】図１
2016037959.tif 000002
【特許請求の範囲】
【請求項１】
人体に空気を送風する人体用送風装置であって、
少なくとも人体の背面に位置するベース部材と、ベース部材に付設した送風機と、送風機の吹出口から人体の肩上且つ首横を通過して人体の前面に延びる左右一対の導風パイプとを備え、
導風パイプに空気を吐出する吐出孔を形成した
ことを特徴とする人体用送風装置。
【請求項２】
導風パイプの先端部には送風機から流れてきた空気の一部を吐出する栓が設けられている
ことを特徴とする請求項１記載の人体用送風装置。
【請求項３】
一つの導風パイプに対して一つ送風機を設けるとともに、導風パイプと送風機の組をユニット化してベース部材に着脱自在に付設した
ことを特徴とする請求項１又は２記載の人体用送風装置。
【請求項４】
ベース部材の上部から人体の肩上且つ首横を通過して人体の前面に延びる左右一対の肩掛けベルトと、ベース部材の左右側部から人体の脇の下を通過して人体の前面に延びる胴体ベルトと、肩掛けベルトの先端部と胴体ベルトの先端部を着脱自在に締結する締結手段とを備え、導風パイプは肩掛けベルトに沿って配置されている
ことを特徴とする請求項１乃至３何れか１項記載の人体用送風装置。
【請求項５】
導風パイプには、少なくとも人体の首又は顔方向に向かって空気を吐出する位置にする吐出孔が複数設けられている
ことを特徴とする請求項１乃至４何れか１項記載の人体用送風装置。
【請求項６】
導風パイプに設けられた複数の吐出孔は、導風パイプの中心軸に対して互いに異なる角度に形成されている
ことを特徴とする請求項５記載の人体用送風装置。
【請求項７】
導風パイプは、さらに人体の背面側の位置に吐出孔が設けられている
ことを特徴とする請求項１乃至６何れか１項記載の人体用送風装置。
【発明の詳細な説明】
【技術分野】
【０００１】
本発明は、人体に空気を送風することにより涼感を与えることができる人体用送風装置に関する。
【背景技術】
【０００２】
近年、扇風機など人体から離れた所定の設置場所からの送風ではなく、送風機を携行することにより確実且つ効率的に風を人体に提供するものが登場してきている。例えば、特許文献１には、衣服の腰付近に送風機を設け、衣服の内側に外気を導入し、袖口及び首元から導入空気を排出する冷却衣服が記載されている。また例えば、特許文献２には、首掛用ストラップにより送風機を首から吊り下げ、送風機から顔に向けて空気を送風するものが記載されている。これらのものでは何処にいても送風を受けることができるので利便性が高いという利点がある。
【先行技術文献】
【特許文献】
【０００３】
【特許文献１】特開２００５−５４２９９号公報
【特許文献２】特開２０１３−３６４１０号公報
【発明の概要】
【発明が解決しようとする課題】
【０００４】
しかし特許文献１に記載のものは、外気を導入する送風機を設けるために衣服に孔を形成する必要がある、換言すれば衣服は専用のものとなってしまうため、既存の衣服に適用することができない。このため、コストが高くなるとともに、利用者が好みのデザインの衣服を着用できないという問題があった。このような問題は、例えば建設現場や土木現場では特に重要である。すなわち、作業現場においては衣服に種々の特殊機能が必要であったり、作業者の所属を表す表示がなされていたり、しかも現場毎に衣服を交換する必要があったりするため、特許文献１に記載の冷却衣服をこれら全てに対応させるには多大なコストがかかるという問題があった。
【０００５】
一方、特許文献２に記載のものは、衣服に依存しないものの送風機は首から吊り下げられるだけなので、体を大きく動かす必要がある利用形態においては、安定した送風の提供が困難であるという問題があった。このような問題は、例えば建設現場や土木現場では特に重要である。また、このような現場作業では、送風機や首掛けストラップが工事物などに引っ掛かったり衝突したりするおそれがあり十分な安全性が確保しづらいという問題があった。
【０００６】
本発明は上記事情に鑑みてなされたものであり、その目的とするところは、安価且つ安定して人体に送風することができる人体用送風装置を提供することにある。
【課題を解決するための手段】
【０００７】
上記目的を達成するために、本願発明は、人体に空気を送風する人体用送風装置であって、少なくとも人体の背面に位置するベース部材と、ベース部材に付設した送風機と、送風機の吹出口から人体の肩上且つ首横を通過して人体の前面に延びる左右一対の導風パイプとを備え、導風パイプに空気を吐出する吐出孔を形成したことを特徴とするものを提案する。
【０００８】
本発明によれば、導風パイプが肩掛け構造となることから安定した送風が可能となるとともに既存の衣服に着用可能なので安価なものとなる。なお、本願発明に係る人体用送風装置の着用は、既存の衣服である上着の内側に着用してもよいし、上着の外側に着用してもよい。
【０００９】
本発明の好適な態様の一例としては、導風パイプの先端部には送風機から流れてきた空気の一部を吐出する栓が設けられていることを特徴とするものが挙げられる。
【００１０】
本発明によれば、導風パイプの先端部が密閉されていないので送風機の駆動負荷が軽くなるとともに導風パイプの吐出孔から安定した送風が可能となる。
【００１１】
また、本発明の好適な態様の一例としては、一つの導風パイプに対して一つ送風機を設けるとともに、導風パイプと送風機の組をユニット化してベース部材に着脱自在に付設したことを特徴とするものが挙げられる。
【００１２】
本発明によれば、送風機と導風パイプの組がユニット化されているのでメンテナンス性にすぐれたものとなる。また、必要に応じて、一方の送風機のみを駆動させて左右一方の導風パイプからのみ送風させることができる。
【００１３】
また、本発明の好適な態様の一例としては、ベース部材の上部から人体の肩上且つ首横を通過して人体の前面に延びる左右一対の肩掛けベルトと、ベース部材の左右側部から人体の脇の下を通過して人体の前面に延びる胴体ベルトと、肩掛けベルトの先端部と胴体ベルトの先端部を着脱自在に締結する締結手段とを備え、導風パイプは肩掛けベルトに沿って配置されていることを特徴とするものが挙げられる。
【００１４】
本発明によれば、導風パイプの配置が安定するので、より安定した送風が可能となるとともに、導風パイプなどの各種部材が引っ掛かったり衝突したりすることを防止できる。
【００１５】
本発明の好適な態様の一例としては、導風パイプには、少なくとも人体の首又は顔方向に向かって空気を吐出する位置にする吐出孔が複数設けられているものが挙げられる。本発明によれば、導風パイプから直接に或いは上着との隙間から、人体の首又は顔方向に広い範囲で風を供給することができる。なお、導風パイプに設けられた複数の吐出孔は、導風パイプの中心軸に対して互いに異なる角度に形成すると、人体の形状に合わせて効率的な送風が可能となる。
【００１６】
さらに、本発明の好適な態様の一例としては、さらに人体の背面側の位置に吐出孔が設けられているものが挙げられる。本発明によれば、人体風送風装置の上に既存の衣服を北場合に、該衣服と人体との隙間において空気の流れを発せさせることができるので、涼感をより強く与えることができる。
【発明の効果】
【００１７】
以上詳述したように、本発明によれば、導風パイプが肩掛け構造となることから安定した送風が可能となるとともに既存の衣服に着用可能なので安価なものとなる。
【図面の簡単な説明】
【００１８】
【図１】第１の実施形態に係る人体用送風装置の着用形態を説明する正面図
【図２】第１の実施形態に係る人体用送風装置の着用形態を説明する背面図
【図３】第１の実施形態に係る人体用送風装置のベース部材及びベルト類の構造を説明する平面図
【図４】第１の実施形態に係る人体用送風装置の平面図
【図５】第１の実施形態に係る導風パイプの取り付け構造を説明する図
【図６】第１の実施形態に係る導風パイプの端部の栓を説明する図
【図７】第１の実施形態に係る導風パイプの端部の栓を説明する図
【図８】第１の実施形態に係る人体用送風装置の利用形態を説明する図
【図９】第２の実施形態に係る実施形態に係る人体用送風装置のベース部材及びベルト類の構造を説明する平面図
【図１０】第２の実施形態に係る実施形態に係る人体用送風装置の平面図
【図１１】第３の実施形態に係る人体用送風装置の着用形態を説明する正面図
【図１２】第３の実施形態に係る人体用送風装置の着用形態を説明する背面図
【図１３】第３の実施形態に係る人体用送風装置の平面図
【発明を実施するための形態】
【００１９】
（第１の実施の形態）
本発明の第１の実施の形態に係る人体用送風装置について図面を参照して説明する。図１は人体用送風装置の着用形態を説明する正面図、図２は人体用送風装置の着用形態を説明する背面図、図３は人体用送風装置のベース部材及びベルト類の構造を説明する平面図、図４は人体用送風装置の平面図である。
【００２０】
人体用送風装置１は、人体１０の背面に位置するベース部材１００と、ベース部材１００に付設した左右一対の送風機２００と、送風機２００の吹出口２１２から人体１０の肩上且つ首横を通過して人体１０の前面まで延びる左右一対の導風パイプ３００とを備えている。
【００２１】
ベース部材１００は、図２及び図３に示すように、左右やや上部が内側に切れ込んだ切り欠き部１０１が形成されている。ベース部材１００は、上部及び下部を折りたたむことにより横長且つ左右端部が開放された袋状となるように構成されており、且つ、前記切り欠き部１０１から送風機２００の背面が露出するように形成されている。ベース部材１００の略中央部には、送風機２００及び後述する電装ユニット２５０を付設するための横長の支持板１１０が付設されている。
【００２２】
ベース部材１００は、人体１０の背面に衣服を介して接触するので、クッション性及び通気性が高いものが好ましい。本実施の形態では、表編地と裏編地とを間隔をおいて複数の連結糸で連結してなる立体編物構造のクッション材によって形成した。
【００２３】
ベース部材１００には、前記切り欠き部１０１の下部から、すなわちベース部材１００を折りたたんだ状態における人体１０の背面側の上部から、首横を通過して人体１０の前面まで延びる左右一対の肩掛けベルト１２０が付設されている。さらに、ベース部材１００には、左右方向に延びる、すなわち、ベース部材１００の左右側部から人体１０の脇の下を通過して人体の前面に延びる胴体ベルト１３０が付設されている。左右一対の肩掛けベルト１２０の前端部は締結部材である締結バックル１４０により締結されている。また締結バックル１４０には、雌部と雄部が着脱自在に形成された着脱バックル１５０の雌部１５１が左右一対に設けられている。一方、胴体ベルト１３０の端部には前記着脱バックル１５０の雌部１５１と係合する雄部１５２が付設されている。これにより、肩掛けベルト１２０と胴体ベルト１３０はそれぞれ一方の端部がベース部材１００に固定され、他方の端部が締結バックル１４０及び着脱バックル１５０により締結される。また、肩掛けベルト１２０には、導風パイプ３００を取り付けるための締結ベルト１２５が付設されている。本実施の形態では、締結ベルト１２５として面ファスナーを用いた。
【００２４】
送風機２００は、薄型略直方体形状の筐体２１０と、筐体内に配置されたファン（図示省略）とを備えている。本実施の形態ではファンとしてシロッコファンを用いた。筐体２１０の底面は前記支持板１１０に着脱自在に付設されている。本実施の形態では面ファスナーを用いて送風機２００を支持板１１０に付設している。筐体２１０の背面及び側面には空気を吸入する多数の吸入孔２１１が形成されている。また筐体２１０の上部には、導風パイプ３００の内側に挿入され、導風パイプ３００に空気を供給する吹出口２１２が形成されている。図５に示すように、吹出口２１２の先端部は導風パイプ３００の内周面に沿うよう円筒形に形成されている。したがって、導風パイプ３００を取り付ける際には、該導風パイプ３００をその長手方向を軸として回転可能となっている。
【００２５】
一対の送風機２００の間には、電装ユニット２５０が前記支持板１１０に着脱自在に付設されている。本実施の形態では面ファスナーを用いて電装ユニット２５０を支持板１１０に付設している。電装ユニット２５０は、少なくとも送風機２００に電源を供給する電池を含む。また電装ユニット２５０には、例えば送風機２００の風量制御など各種制御を行う制御回路を含んでいてもよい。前記締結バックル１４０には、送風機２００の駆動オンオフを切り替える電源スイッチ２６０が付設されている。該電源スイッチ２６０は、各送風機２００に接続するようにしてもよいし、電装ユニット２５０に接続するようにしてもよい。
【００２６】
導風パイプ３００は、一方の端部が前記送風機２００の吹出口２１２に嵌合している。すなわち、導風パイプ３００と送風機２００とは１つのユニットを形成している。導風パイプ３００には、人体１０の首又は顔方向に向かって空気を吐出する１つ以上の吐出孔３０１が形成されている。吐出孔３０１の形状・位置・個数は種々の形態が可能である。本実施の形態では、長穴形状の３つの吐出孔３０１をその長手方向が導風パイプ３００の長手方向と一致するように、所定の間隔をおいて長手方向に連なるように形成した。なお、前述のように導風パイプ３００は、送風機２００の吹出口２１２に対して導風パイプ３００の長手方向を軸として回転可能となっているので、該回転により吐出孔３０１からの送風方向を調整することができる。
【００２７】
導風パイプ３００の他方の端部（先端部）には、送風機２００から送られてきた空気の一部を吐出する栓３１０が設けられている。該栓３１０は、図６及び図７に示すように、導風パイプ３００の先端部の内側に挿入される挿入部３１１と、空気の吹出方向を制御するための風向制御部３１２とからなる。該栓３１０による開口面積は導風パイプ３００の断面積よりも小さくなっている。風向制御部３１２は、導風パイプ３００からの風が衝突する面が導風パイプ３００の長手方向に対して斜めに形成されている。このように導風パイプ３００の先端部は密閉されていないので、送風機２００の駆動負荷が軽くなるとともに導風パイプ３００の吐出孔３０１から安定した送風が可能となる。
【００２８】
このような人体用送風装置１では、図１及び図２に示すように、ベース部材１００が人体１０の背面に位置し、肩掛けベルト１２０及び導風パイプ３００が人体１０に肩に掛けられ、胴体ベルト１３０は人体１０の脇の下に位置する。一対の肩掛けベルト１２０は端部が人体１０の前面、胸部付近において締結バックル１４０により締結され、さらに該締結バックル１４０には着脱バックルにより胴体ベルト１３０が接続している。これにより人体用送風装置１は、人体１０にしっかり固定されるので、導風パイプ３００の吐出孔３０１から安定して空気を人体１０の首回りに供給することができる。なお、本実施の形態に係る人体用送風装置１は、衣服（上着）のうえに着用することを想定しているが、衣服（上着）の下に着用してもよい。
【００２９】
また、工事現場・建設現場などの作業現場では、図８に示すように、ヘルメット２０に人体１０の顔横からく首後ろを覆う覆体３０を設けると好適である。これにより導風パイプ３００から吐出した空気を人体１０に確実に供給することができる。該覆体３０は、横長略矩形の覆体本体３１と、覆体本体３１の上部に付設されヘルメット２０に着脱自在に取り付けるために取り付けベルト３２とを備えている。覆体本体３１であって人体１０の耳に対抗する位置には、１つ以上の通音孔３３が形成されている。覆体本体３１の内側には、必要に応じて保冷剤を配置してもよい。また覆体本体３１には、適宜縦方向の切れ目を設けてもよい。
【００３０】
以上、本発明の一実施の形態について詳述したが、本発明はこれに限定されるものではない。例えば、導風パイプ３００の吐出孔３０１に、吹き出し量や吹き出し方向を制御するための風制御部材を付設するようにしてもよい。該風制御部材としては、例えば導風パイプ３００の周にそって配置した着脱自在のベルトなどが挙げられる。該ベルトを吐出孔３０１の全部又は一部を閉鎖するように配置することで、吹き出し量を制御できる。
【００３１】
また、上記実施の形態では、導風パイプ３００を送風機２００の吹出口２１２に対して長手方向を軸として回転させることにより吐出孔３０１からの吹き出し方向を可変としていたが、送風機２００の吹出口２１２と導風パイプ３００の吐出孔３０１の中間部や複数の吐出孔３０１の間に導風パイプ３００の回転機構を設けるようにしてもよい。
【００３２】
また、上記実施の形態では、図１に示すように一対の導風パイプ３００の端部は、所定の間隔をおいて離れているが、導風パイプ３００の先端部が交差するように配置してもよい。また導風パイプ３００の先端部を、衣服の内側に挿入するようにしてもよい。
【００３３】
また、上記実施の形態では、導風パイプ３００の吐出孔３０１は長穴形状としたが、形状・個数・配置は種々の形態を採用できる。例えば、長穴形状の吐出孔３０１を、導風パイプ３００の長手方向に対して斜めに形成するようにしてもよい。
【００３４】
また、上記実施の形態では、電源スイッチ２６０を設けていたが、利用形態等に応じて電源スイッチ２６０を不要としてもよい。また、上記実施の形態では、送風機２００のオンオフだけを制御していたが、送風機２００の風量制御回路を行うようにしてもよい。該風量制御としては、風量の強弱だけでなく間欠運転などを行うようにしてもよい。さらに、電池の残量を通知する機能を設けるようにしてもよい。
【００３５】
また、上記実施の形態では、導風パイプ３００と送風機２００からなるユニットを支持板１１０に着脱自在に付設していたが、支持板１１０に固定的に設置するようにしてもよい。
【００３６】
また、上記実施の形態では、導風パイプ３００を肩掛けベルト１２０に沿って配置しているが、肩掛けベルト１２０を設けることなく導風パイプ３００を直接人体１０の肩に掛けるようにしてもよい。
【００３７】
また、上記実施の形態に係る人体用送風装置１に噴霧装置を付設してもよい。この場合、噴霧装置のノズルは、導風パイプ３００の吐出孔３０１近傍に配置すると好適である。なお、噴霧装置は手動駆動であってもよいし電動等の機械駆動であってもよい。また噴霧動作は常時行ってもよいし、間欠運転であってもよいし、利用者からの指示に基づくものであってもよい。
【００３８】
また、上記実施の形態では、バッテリを含む電装ユニット２５０をベース部材１００に、すなわち人体１０の背面側に付設したが、人体１０の前面側に付設するようにしてもよい。この場合、電装ユニット２５０の全てを人体１０の前面側に配置してもよいし、例えばバッテリだけなど一部の構成部品のみを人体１０の前面側に配置し、残りの構成部品はベース部材１００に付設するようにしてもよい。人体１０の前面側に付設する構成部品の付設位置は、例えば締結バックル１４０などが挙げられる。
【００３９】
（第２の実施の形態）
本発明の第１の実施の形態に係る人体用送風装置について図面を参照して説明する。図９は人体用送風装置のベース部材及びベルト類の構造を説明する平面図、図１０は人体用送風装置の平面図である。
【００４０】
本実施の形態が第１の実施の形態と異なる点は、人体１０の脇の下にも導風パイプを配置した点にある。その他の点については第１の実施の形態と同様なので、ここでは相違点のみを説明する。
【００４１】
本実施の形態に係る人体用送風装置１ａは、図９及び図１０に示すように、胴体ベルト１３０に沿って左右一対の導風パイプ４００を付設した。該導風パイプ４００には、肩掛け用の導風パイプ３００と同様に吐出孔４０１が形成されるとともに、端部には導風パイプ３００と同様の栓４１０が付設されている。胴体ベルト１３０への導風パイプ４００の固定は、導風パイプ３００と同様に、胴体ベルト１３０に付設した締結ベルト１３５を用いる。本実施の形態では、締結ベルト１３５として面ファスナーを用いた。
【００４２】
肩掛け用の導風パイプ３００と胴体用の導風パイプ４００は、同一の送風機２００ａに接続している。該送風機２００ａは、第１の実施の形態の送風機２００よりも縦長に形成されており、筐体の内部には２つの各導風パイプ３００，４００用に２つのシロッコファンが並設されている。このためベース部材１００の切り欠き部１０１の上下方向長さは、第１の実施の形態より大きくなっている。各導風パイプ３００，４００と送風機２００ａとの接続構造は、第１の実施の形態における導風パイプ３００と送風機２００との接続構造と同様である。
【００４３】
本実施の形態に係る人体用送風装置１ａでは、第１の実施の形態に係る人体用送風装置１における作用効果に付け加えて、人体１０の脇周りに空気を供給できる。その他の作用効果については第１の実施の形態と同様である。また、本実施の形態についても、第１の実施の形態と同様の各種変形例を適用できる。
【００４４】
（第３の実施の形態）
本発明の第３の実施の形態に係る人体用送風装置について図面を参照して説明する。図１１は人体用送風装置の着用形態を説明する正面図、図１２は人体用送風装置の着用形態を説明する背面図、図１３は人体用送風装置の平面図、図１４は人体用送風装置の着用形態を説明する正面図である。なお、本実施の形態に係る人体用送風装置は、下着などの適当な衣服の上に着用するとともに、さらに人体用送風装置の上に上着を着用することを想定している。図の視認性のため、図１１及び図１２では上着は一点破線で表した。
【００４５】
人体用送風装置２は、人体１０の背面から前面に亘って位置するベース部材５００と、ベース部材５００に付設した左右一対の送風機６００と、送風機６００の吹出口から人体１０の肩上且つ首横を通過して人体１０の前面まで延びる左右一対の導風パイプ７００とを備えている。
【００４６】
ベース部材５００は、図１２及び図１３に示すように、人体の背面に位置して左右一対の送風機６００を取り付ける主ベース部材５１０と、主ベース部材５１０の左右上部から導風パイプ７００に沿って形成された左右一対の肩掛けベース部材５２０とを備えている。主ベース部材５１０の中央部には穴５３０が形成されており、通気性の向上を図っている。
【００４７】
ベース部材５００は、下着などの衣服を介して人体１０の背面に接触するので、クッション性及び通気性が高いものが好ましい。本実施の形態では、表編地と裏編地とを間隔をおいて複数の連結糸で連結してなる立体編物構造のクッション材によって形成した。
【００４８】
一対の肩掛けベース部材５２０の先端よりやや主ベース部材５１０側には、それぞれ対向する肩掛けベース部材５２０と連結する胸前ベルト５４０が付設されている。胸前ベルト５４０は、中央部において、雄部５４１及び雌部５４２を備えた締結バックル５４３により締結・締結解除が可能となっている。胸前ベルト５４０は、人体１０の胸前付近に配置される。
【００４９】
一対の肩掛けベース部材５２０の先端には、さらに吊り下げベルト５５０が付設されている。吊り下げベルト５５０の先端部には、人体１０の着用するズボンの上縁部を把持するクリップ５５１が付設されている。一対の吊り下げベルト５５０の先端部付近には、主ベース部材５１０の左右端部と連結する胴体ベルト５６０が付設されている。
【００５０】
ベース部材５００には、導風パイプ７００を取り付けるための複数の締結ベルト５７０が付設されている。本実施の形態では、締結ベルト５７０として面ファスナーを用いた。
【００５１】
各送風機６００の構造は第１の実施の形態と同様である。各送風機６００にはバッテリなどの電装品を収容する電装袋６５０が付設されている。電装袋６５０は一部のみが主ベース部材５１０に固着されており、他の所定箇所が面ファスナーなどの着脱部材な連結手段により主ベース部材５１０に付設されている。これにより、バッテリ交換時の作業性が向上する。前記一対の肩掛けベース部材５２０の先端部付近には、各送風機２００の駆動オンオフを切り替える電源スイッチ６６０が付設されている。電源スイッチ６６０は各送風機２００に対応して複数設けてもよいし、１つの電源スイッチ６６０で両送風機２００を同時に制御するように構成してもよい。なお、各図では、電源スイッチ６６０と接続するケーブルは省略した。
【００５２】
導風パイプ７００は、一方の端部が前記送風機６００の吹出口に嵌合している。すなわち、導風パイプ７００と送風機６００とは１つのユニットを形成している。導風パイプ７００には、１つ以上の吐出孔３０１が形成されている。吐出孔３０１の形状・位置・個数は種々の形態が可能である。
【００５３】
本実施の形態では、略丸穴形状の６つの吐出孔７０１を、所定の間隔をおいて長手方向に連なるように形成した。具体的には、２つの吐出孔７０１ａ及び７０１ｂは、人体１０の胸前付近に形成されている。該２つの吐出孔７０１ａ及び７０１ｂは、人体１０方向に直接送風するだけでなく、人体１０と上着２０の間隙に空気の流れを発生させるように、人体１０に対してやや平行に空気が吐出する角度に形成されている。
【００５４】
また、３つの吐出孔７０１ｃ，７０１ｄ，７０１ｅは、主として、人体１０の首又は顔方向に向かって空気を吐出するように形成されている。各吐出孔７０１ｃ，７０１ｄ，７０１ｅから吐出された空気は、直接或いは上着２０の間隙をとおって、人体１０の首又は顔方向に風が供給されるような角度に形成されている。ここで、３つの吐出孔７０１ｃ，７０１ｄ，７０１ｅは、導風パイプ７００の中心軸に対して、吐出方向が互いに異なる角度となるように形成されている。これにより、人体１０の形状に適した送風が可能となる。
【００５５】
さらに、１つの吐出孔７０１ｆは、人体の背面側に形成されている。該吐出孔７０１ｆは、人体１０方向に直接送風するだけでなく、人体１０と上着２０の間隙に空気の流れを発生させるように、人体１０に対してやや平行に空気が吐出する角度に形成されている。より具体的には、吐出孔７０１ｃ，７０１ｄ，７０１ｅは、背面方向にあるものあるものほど、吐出方向が上方になるように形成されている。
【００５６】
なお、人体１０の胸前付近に形成された吐出孔７０１ａ及び７０１ｂ並びに背面側に形成された吐出孔７０１ｆは、ベース部材５００方向に開口するように形成してもよい。本実施の形態では、ベース部材５００として通気性の良好な部材を用いているで、ベース部材５００を通過して人体１０表面に向かって風を供給することができる。
【００５７】
導風パイプ７００の他方の端部（先端部）には栓７１０が設けられている。
【００５８】
このような人体用送風装置２では、図１１及び図１２に示すように、主ベース部材５１０が人体１０の背面に位置し、肩掛けベース部材５２０及び導風パイプ７００が人体１０に肩に掛けられ、吊り下げベルト５５０の先端部のクリップ５５１が人体１０のズボンの上縁部に止められる。さらに、胸前ベルト５４０により一対の肩掛けベース部材５２０が締結されるとともに、胴体ベルト５６０が脇腹を通過して人体１０の胴体に固定される。以上のようにして人体用送風装置２は、人体１０にしっかり固定されるので、導風パイプ７００の吐出孔７０１から安定して空気を人体１０の首回りに供給することができる。
【００５９】
また、本実施の形態に係る人体用送風装置２では、導風パイプ７００の吐出孔７０１ｃ，ｄ，ｅから吐出した空気を、直接或いは上着２０との間隙を通過して、人体１０の首回りに供給することができる。さらに、導風パイプ７０１の他の吐出孔７０１ａ，ｂ，ｆから吐出した空気は、上着２０との間隙空間に空気の流れを発生させるので、良好な涼感を得ることができる。出願人は、本実施の形態に係る人体用送風装置２を着用して人体１０の深部体温を測定したところ、空調のない工事現場などの環境下であっても深部体温の上昇抑制に効果的であることが確認できた。
【００６０】
以上、本発明の一実施の形態について詳述したが、本発明はこれに限定されるものではない。すなわち、本実施の形態に係る人体送風装置に対して、適宜、上記第１及び第２の実施の形態において詳述した各種の変形例を適用することができる。
【符号の説明】
【００６１】
１，１ａ，２…人体用送風装置、１０…人体、２０…ヘルメット、３０…覆体、１００，５００…ベース部材、１２０…肩掛けベルト、１３０…胴体ベルト、１４０…締結バックル、１５０…着脱バックル、５１０…主ベース部材、５２０…肩掛けベース部材、５４０…胸前ベルト、５５０…吊り下げベルト、５６０…胴体ベルト、２００，２００ａ，６００…送風機、３００，４００，７００…導風パイプ、３０１，４０１，７０１，７０１ａ〜７０１ｆ…吹出口
【図１】
2016037959.tif 000003
【図２】
2016037959.tif 000004
【図３】
2016037959.tif 000005
【図４】
2016037959.tif 000006
【図５】
2016037959.tif 000007
【図６】
2016037959.tif 000008
【図７】
2016037959.tif 000009
【図８】
2016037959.tif 000010
【図９】
2016037959.tif 000011
【図１０】
2016037959.tif 000012
【図１１】
2016037959.tif 000013
【図１２】
2016037959.tif 000014
【図１３】
2016037959.tif 000015